(57)【要約】【課題】デジタル放送を受信できる選局装置は、アナログ放送を受信する選局装置と比べ放送サービスの検出をするバックエンドの処理に時間がかかるためチャネルサーチ時間が長いという課題を有している。【解決手段】放送を受信する選局装置１４は、所定の地域と前記所定の地域に隣接する隣接地域との対応を表わす隣接地域テーブルと、所定の地域で受信可能なチャネルと隣接地域で受信可能なチャネルとを表す受信チャネルテーブルとを記憶する情報記憶部１１０と、設定された地域で受信設定が可能なチャネルをサーチするために用いるサーチ対象チャネルを設定するサ−チ対象チャネル設定部１０９と、サーチ対象チャネルを記憶するサーチ対象チャネル記憶部１１１と、サーチ対象チャネルから受信設定が可能なチャネルをサーチするチャネルサーチ部１１２と、サーチされた受信設定が可能なチャネルを記憶する情報記憶部１１０とを備える。【選択図】図１
2005341483.tif 000002
【特許請求の範囲】
【請求項１】
放送を受信する選局装置であって、
所定の地域と前記所定の地域に隣接する隣接地域との対応を表わす隣接地域テーブルと、前記所定の地域で受信可能なチャネルと前記隣接地域で受信可能なチャネルとを表す受信チャネルテーブルとを記憶する情報記憶部と、
前記選局装置がある場所に基づき前記所定の地域を設定する地域設定部と、
前記地域設定部で設定された地域と前記隣接地域テーブルと前記チャネルテーブルとを用いて、前記地域設定部で設定された地域で受信設定が可能なチャネルを探索するために用いる探索チャネルを設定する探索チャネル設定部と、
前記探索チャネル設定部で設定された前記探索チャネルを記憶する探索チャネル記憶部と、
前記探索チャネル記憶部に記憶された前記探索チャネルから前記受信設定が可能なチャネルを探索する探索部と、
前記探索部によって探索された前記受信設定が可能なチャネルを記憶する受信設定チャネル記憶部と、
を備えることを特徴とする選局装置。
【請求項２】
前記探索部は、前記探索チャネル記憶部に記憶された前記探索チャネルから探索される受信設定が可能なチャネルの数が、前記地域設定部で設定された前記所定の地域で定められた受信設定可能なチャネル数を示す受信設定チャネル数に至るまで、前記探索チャネル記憶部に記憶された前記探索チャネルから前記受信設定が可能なチャネルを探索する
ことを特徴とする請求項１に記載の選局装置。
【請求項３】
さらに、前記探索部で前記探索チャネル記憶部に記憶された前記探索チャネルから前記受信設定が可能なチャネルを探索する順序を帯域に基づき設定する探索チャネル順序設定部を備え、
前記探索部は前記探索チャネル設定部で設定された順序に基づき、前記受信設定が可能なチャネルを探索する
ことを特徴とする請求項１または請求項２に記載の選局装置。
【請求項４】
前記隣接地域テーブルはあらかじめ前記情報記憶部に記憶されている
ことを特徴とする請求項１から請求項３いずれかに記載の選局装置。
【請求項５】
さらに、トランスポートストリームを分離する分離部を有し、前記隣接地域テーブルは前記分離部でトランスポートストリームから分離して得られる
ことを特徴とする請求項１から請求項３いずれかに記載の選局装置。
【請求項６】
さらに、記憶媒体から情報を入力できる情報入力部を有し、前記隣接地域テーブルは前記情報入力部から得られる
ことを特徴とする請求項１から請求項３いずれかに記載の選局装置。
【請求項７】
前記受信チャネルテーブルはあらかじめ前記情報記憶部に記憶されている
ことを特徴とする請求項１から請求項３いずれかに記載の選局装置。
【請求項８】
さらに、トランスポートストリームを分離する分離部を有し、前記受信チャネルテーブルは前記分離部でトランスポートストリームから分離して得られる
ことを特徴とする請求項１から請求項３いずれかに記載の選局装置。
【請求項９】
さらに、記憶媒体から情報を入力できる情報入力部を有し、前記受信チャネルテーブルは前記情報入力部から得られる
ことを特徴とする請求項１から請求項３いずれかに記載の選局装置。
【請求項１０】
放送を受信する選局装置であって、
所定の地域で受信設定するときに用いる、前記所定の地域で受信設定可能なチャネル数を示す受信設定チャネル数を記憶するチャネル数記憶部と、
前記選局装置がある場所に基づき前記所定の地域を設定する地域設定部と、
前記地域設定部で設定された地域で受信設定が可能なチャネルを探索するときの帯域の順序を設定する探索チャネル順序設定部と、
前記探索チャネル順序設定部により設定された帯域の順序に基づき探索対象となるチャネルを設定する探索チャネル設定部と、
前記探索チャネル設定部で設定された前記探索対象となるチャネルを記憶するチャネル記憶部と、
前記探索対象となるチャネルから探索される受信設定が可能なチャネルの数が前記受信設定チャネル数に至るまで前記探索チャネル順序設定部で設定された帯域の順序で前記探索対象となるチャネルを探索する探索部と、
前記探索部より探索された受信設定が可能なチャネルを記憶するチャネル記憶部と
を備えることを特徴とする選局装置。
【請求項１１】
前記受信設定するときに用いるチャネルの数は予め定められた数である
ことを特徴とする請求項１０に記載の選局装置。
【請求項１２】
前記受信設定チャネル数はあらかじめ前記情報記憶部に記憶されている
ことを特徴とする請求項２、請求項３、請求項１０、請求項１１いずれかに記載の選局装置。
【請求項１３】
さらに、トランスポートストリームを分離する分離部を有し、前記受信設定チャネル数は前記分離部でトランスポートストリームから分離して得られる
ことを特徴とする請求項２、請求項３、請求項１０、請求項１１いずれかに記載の選局装置。
【請求項１４】
さらに、記憶媒体から情報を入力できる情報入力部を有し、前記受信設定チャネル数は前記情報入力部から得られる
ことを特徴とする請求項２、請求項３、請求項１０、請求項１１いずれかに記載の選局装置。
【請求項１５】
さらに、前記選局装置が傾斜したことを検知する傾斜検出部を有し、前記傾斜検出部で傾斜が検知されたときに前記探索部は前記受信設定が可能なチャネルを探索する
ことを特徴とする請求項１から請求項１４いずれかに記載の選局装置。
【発明の詳細な説明】
【技術分野】
【０００１】
本発明は、放送を受信する選局装置であって、受信設定可能な物理チャネル（周波数も同意義、以下チャネルとして説明する）を探索することができる選局装置に関するものである。
【背景技術】
【０００２】
近年、現行のアナログ放送からデジタル放送への移行にともなう地上波デジタルテレビジョンの開発が行われている。デジタル放送局の新規開局・デジタル放送の受信に際してどのチャネルで放送が行われているかをあらかじめ知っておく（例えば、リモコンキー毎に割当てられるプログラム番号やリモコンキー毎に対応するチャネルを示すリストであるサービスリストを保持する）ことで視聴者はスムーズなチャネル選局を行なうことができる。これにより、例えば上記移行期において周波数変更などにともなうサービスリストの変更が頻繁に行われても、効率的なチャネル選局をすることができる。
【０００３】
従来、放送されているチャネルは地域ごとに異なるため、受信機を設置する際に、放送に用いられている全チャネルにわたって、どのチャネルで放送が行われているかをサーチし、そのサーチ結果となるサービスリストを記憶して選局に用いている(特許文献１) 。
【特許文献１】特開２００４−１１２０７９号公報
【発明の開示】
【発明が解決しようとする課題】
【０００４】
しかし、放送に用いられている全チャネルにわたってサーチをするため、受信機設置時に行う受信設定の可能なチャネルの探索に要する時間が長いという問題が起こってしまう。
【０００５】
そこで、本発明は上記課題を解決するためのものであり、所定地域で受信可能なチャネルから、所定地で受信設定可能なチャネルを短い時間で探索することができる選局装置に関するものである。
【課題を解決するための手段】
【０００６】
本発明は上記課題を解決するものであって、所定の地域と前記所定の地域に隣接する隣接地域との対応を表わす隣接地域テーブルと、前記所定の地域で受信可能なチャネルと前記隣接地域で受信可能なチャネルとを表す受信チャネルテーブルとを記憶する情報記憶部と、前記選局装置がある場所に基づき前記所定の地域を設定する地域設定部と、前記地域設定部で設定された地域と前記隣接地域テーブルと前記チャネルテーブルとを用いて、前記地域設定部で設定された地域で受信設定が可能なチャネルを探索するために用いる探索チャネルを設定する探索チャネル設定部と、前記探索チャネル設定部で設定された前記探索チャネルを記憶する探索チャネル記憶部と、前記探索チャネル記憶部に記憶された前記探索チャネルから前記受信設定が可能なチャネルを探索する探索部と前記探索部によって探索された前記受信設定が可能なチャネルを記憶する受信設定チャネル記憶部とを備えることを特徴とする選局装置である。これにより、居住地で受信設定可能なチャネルを短い時間で探索することができる。
【発明の効果】
【０００７】
本発明の選局装置により、所定地域で受信可能なチャネルから、所定地で受信設定可能なチャネルを短い時間で探索することができる。
【発明を実施するための最良の形態】
【０００８】
本願発明の選局装置は、放送を受信する選局装置であって、所定の地域と前記所定の地域に隣接する隣接地域との対応を表わす隣接地域テーブルと、前記所定の地域で受信可能なチャネルと前記隣接地域で受信可能なチャネルとを表す受信チャネルテーブルとを記憶する情報記憶部と、前記選局装置がある場所に基づき前記所定の地域を設定する地域設定部と、前記地域設定部で設定された地域と前記隣接地域テーブルと前記チャネルテーブルとを用いて、前記地域設定部で設定された地域で受信設定が可能なチャネルを探索するために用いる探索チャネルを設定する探索チャネル設定部と、前記探索チャネル設定部で設定された前記探索チャルを記憶する探索チャネル記憶部と、前記探索チャネル記憶部に記憶された前記探索チャネルから前記受信設定が可能なチャネルを探索する探索部と、前記探索部によって探索された前記受信設定が可能なチャネルを記憶する受信設定チャネル記憶部とを備える。
【０００９】
以上の構成により居住地で受信設定可能なチャネルを短い時間で探索することができる。
また、本願発明の選局装置は、放送を受信する選局装置であって、所定の地域で受信設定するときに用いる、前記所定の地域で受信設定可能なチャネル数を示す受信設定チャネル数を記憶するチャネル数記憶部と、前記選局装置がある場所に基づき前記所定の地域を設定する地域設定部と、前記地域設定部で設定された地域で受信設定が可能なチャネルを探索するときの帯域の順序を設定する探索チャネル順序設定部と、前記探索チャネル順序設定部により設定された帯域の順序に基づき探索対象となるチャネルを設定する探索チャネル設定部と、前記探索チャネル設定部で設定された前記探索対象となるチャネルを記憶するチャネル記憶部と、前記探索対象となるチャネルから探索される受信設定が可能なチャネルの数が前記受信設定チャネル数に至るまで前記探索チャネル順序設定部で設定された帯域の順序で前記探索対象となるチャネルを探索する探索部と、前記探索部より探索された受信設定が可能なチャネルを記憶するチャネル記憶部とを備える。
【００１０】
以上の構成により設定された帯域順にユーザによって入力される居住地で受信設定可能なチャネル数に至るまでサーチすることによって受信設定可能なチャネルを短い時間で探索することができる
【実施例１】
【００１１】
本実施例１においては、所定の地域と前記所定の地域に隣接する隣接地域との対応を表わす隣接地域テーブルを用いて、居住地で受信設定可能なチャネルを短い時間で探索することができる選局装置について、図１から図５までを用いて説明する。
【００１２】
図１は本実施の形態に係る選局装置の構成図である。選局装置としては、デジタルテレビ、セットトップボックス（ＳＴＢ）、ＤＶＤレコーダ、携帯電話等、テレビ放送が受信可能な受信機が考えられる。以下、選局装置１４として据え置き可能なデジタルテレビを想定して説明する。
【００１３】
選局装置１４はフロントエンド１１、バックエンド１２、制御部１３といった主要ブロックを有している。
【００１４】
フロントエンド１１は、チューナ部１０２とデジタル復調部１０３を備える。チューナ部１０２は、デジタル放送波を受ける入力端子１０１から入力される放送波信号に基づき、ユーザが希望するチャネルを選局し、入力される放送波信号の変動に対して利得調整を行うことにより、安定したレベルの信号をデジタル復調部１０３へ出力する。
【００１５】
デジタル復調部１０３はチューナ部１０２でデジタル変調されたアナログ信号からトランスポートストリーム（以下、ＴＳ）形式のデジタルデータを出力し、バックエンド１２へ出力する。
【００１６】
バックエンド１２は、ＴＳ分離部１０４、映像データ復号部１０５、音声データ復号部１０６、制御情報復号部１０７を備える。ＴＳ分離部１０４はデジタル復調部１０３から出力されるＴＳ形式のデジタルデータを映像データ、音声データ、制御情報データに分離処理する。そしてＴＳ分離部１０４で分離された映像データは映像データ復号部１０５で、音声データは音声データ復号部１０６で、制御情報は制御情報復号部１０７でそれぞれ復号処理が行われ、映像データ復号部１０５から映像信号１１７が出力され、音声データ復号部１０６から音声信号１１８が出力される。
【００１７】
制御部１３は、居住地域設定部１０８、サーチ対象チャネル設定部１０９、サービスリスト・隣接エリアテーブル・受信可能チャネルテーブルを記憶する情報記憶部１１０、サーチ対象チャネル記憶部１１１、チャネルサーチ部１１２、主制御部１１３を備える。なお、隣接エリアテーブル・受信可能チャネルテーブルについては後述する。
【００１８】
また、選局装置１４は、ユーザによって居住地や居住地域等の情報が入力される情報入力部１２１を有する。
【００１９】
ユーザによって情報入力部１２１から入力された居住地にもとづき居住地域が居住地域設定部１０８で設定される。そしてサーチ対象チャネル設定部１０９において、居住地域設定部１０８で設定された居住地域と情報記憶部１１０に記憶されている隣接エリアテーブルとを用いて、居住地域設定部１０８で設定された居住地域に隣接する隣接地域を抽出し、ユーザの居住地域とその隣接地域との地域で受信することができるチャネルを設定する。
【００２０】
サーチ対象チャネル設定部１０９で設定されたサーチ対象となるチャネルは、サーチ対象チャネル記憶部１１１に記憶される。主制御部１１３はサーチ対象チャネル記憶部１１１に記憶されている情報に基づき、チャンネルサーチ部１１２を制御することでチャネルサーチを行う。
【００２１】
チャネルサーチ部１１２は、第一のサーチ信号１１９によりフロントエンド１１を制御し第二のサーチ信号１２０によりバックエンド１２を制御する。第一のサーチ信号１１９と第二のサーチ信号１２０とはサーチ対象チャネル記憶部に記憶されているサーチ対象となるチャネルについて受信処理の要求をする信号である。そして居住地域設定部１０８で設定された居住地域で受信可能なチャネルから受信設定することが可能なチャネルをサーチする。ここで受信設定することが可能なチャネルとは電波状態等を加味して実際にユーザの居住地で支障なく視聴できるチャネルのことをいう。支障なく視聴できるレベルは任意に設定可能である。
【００２２】
主制御部１１３は、制御情報復号部１０７からの情報によりユーザの居住地で受信設定が可能なチャネルを取得することができ、この受信設定が可能なチャネルを情報記憶部１１０にサービスリストとして記憶する。
【００２３】
次に本実施の形態の選局装置１４の動作について図２から図５を用いて説明する。
【００２４】
図２と図３はチャネルサーチおよびチャネル選局の処理を示すフロー図である。
【００２５】
図４（ａ）は放送地域の構成例４００を示す図である。ここでは７地域で構成する放送地域について考える。放送地域名４０１に示される各地域に対して固有のエリアコード４０２が与えられ、放送ネットワーク内の全放送について各地域で放送されるチャネルが受信可能チャネル４０３として取り決められている。また、図４（ｂ）において３０ｃｈから４１ｃｈは地域Ａから地域Ｇにおける放送ネットワーク内の限定放送チャネルであり、１５ｃｈは、Ｂ，Ｄ，Ｅ，Ｇの地域での広域の放送チャネルである。
【００２６】
図５は所定の地域とその地域に隣接する地域との関係を示す図である。図４（ｂ）と図５により居住地域とこの居住地域に隣接する地域とにおいて取り決められている受信可能なチャンネルがわかる。
【００２７】
図４（ｂ）に示す受信可能チャネルテーブル、図５に示す隣接エリアテーブルは情報記憶部１１０に記憶されている。
【００２８】
以下、本実施の形態の動作について、図２を用いて説明する。
【００２９】
図２において、ステップ２００でサービスリストが情報記憶部１１０に記憶されているかどうかを判断する。サービスリストが記憶されていれば（Ｓ２００でＹＥＳの時）Ｓ２０１以下に示すチャンネル選局処理をし、サービスリストが記憶されていなければ(Ｓ２００でＮＯの時)Ｓ２０６以下に示すチャンネルサーチ選局の処理をする。
【００３０】
まず、Ｓ２０１以下に示すチャンネル選局処理について説明する。
【００３１】
ステップ２００でサービスリストが記憶されていると判断されるのは例えば事前にチャンネルサーチが完了している場合である。また、所定の時刻を基準にサービスリストの有効性を判断し、所定の時刻を過ぎていればサービスリストがないものとして扱うようにしてもよい。１週間、1ヶ月といった期間で定期的にサービスリストの更新をうながしてもよいし、強制的に外部（例えばユーザによるもの、プリセットされたプログラム・ダウンロードプログラムによるもの）からサービスリストの更新をうながすようにしてもよい。また、サービスリストが記憶されていないと判断されるのは例えば初期設定がされていない場合である。
【００３２】
ステップ２０１では、主制御部１１３により情報記憶部１１０に記憶されている選局に必要なサービスリストを参照する。サービスリストの内容は、例えば図２５に示すようにリモコンキーＮｏ．２５００毎に割当てられるプログラム番号２５０２や対応するチャネル２５０１などの情報である。
【００３３】
ステップ２０２では前回視聴していた選局情報よりチャネルを設定し、ステップ２０３で主制御部１１３から出力される第一の制御信号１１５、第二の制御信号１１６によりチャネル選局を行う。
【００３４】
ステップ２０４ではユーザによるチャネル指示かどうかを判断し、変更指示があれば（Ｓ２０４でＹＥＳの時）ステップ２０３へ移り選局処理を行う。
【００３５】
ステップ２０５では電源オフの指示かどうかを判断し、電源オフの指示があるまでチャネル変更指示待ちの状態となる。よって、チャネル変更の指示がなく電源オフの指示もないときは、チャネル変更指示待ちの状態となる。
【００３６】
次に、ステップ２０６以下に示すチャネルサーチ選局の処理について、ユーザの居住地が居住地域Ｅに属する場合について説明する。ステップ２０６では、設定画面（図示せず）を通じてユーザによって居住地の情報が情報入力部１２１から入力される。そして、居住地域設定部１０８において居住地域がＥとして設定される。
【００３７】
ステップ２０７では、ユーザの居住地域Ｅに隣接する隣接地域を決めるため、情報記憶部１１０に記憶されている隣接エリアテーブルを参照し、サーチすべき対象地域として居住地域Ｅ以外に、Ａ，Ｂ，Ｄ，Ｆ，Ｇの地域が選択される。
【００３８】
ステップ２０８では、ステップ２０７で選択された隣接地域Ａ，Ｂ，Ｄ，Ｆ，Ｇと居住地域Ｅにおいて受信可能なチャネルが、情報記憶部１１０に記憶されている受信可能チャネルテーブルに基づきサーチ対象チャネル設定部１０９において設定される。地域Ａ，Ｂ，Ｄ，Ｅ，Ｆ，Ｇにおける受信可能なチャネルは、図４（ｂ）に示す受信可能放送チャネル４０３より、１３ｃｈ、１４ｃｈ、１５ｃｈ、３０ｃｈ、３１ｃｈ、３２ｃｈ、３３ｃｈ、３６ｃｈ、３７ｃｈ、３８ｃｈ、３９ｃｈ、４０ｃｈ、４１ｃｈであり、これらがサーチ対象のチャネルとしてサーチ対象チャネル記憶部１１１に記憶される。
【００３９】
ステップ２０９では、チャネルサーチ部１１２においてステップ２０８で設定されたサーチ対象のチャネルについてチャネルサーチ処理を行う。
【００４０】
この結果ユーザの居住地が属するＥ地域では、１３ｃｈ、１４ｃｈ、１５ｃｈ、３６ｃｈ、４０ｃｈが受信可能と主制御部１１３において判定される。
【００４１】
ステップ２１０では、ステップ２０９のサーチ結果を情報記憶部１１０にサービスリストとして記憶する。
【００４２】
なお、サーチ対象チャネル記憶部１１１に記憶されたサーチ対象となるチャネルはステップ２１０でサーチ結果を記憶した後、削除してもよい。
【００４３】
ステップ２１１では、ステップ２１０で記憶されたサービスリストを表示画面に表示し、例えば設定完了の確認をうながす。
【００４４】
その後ステップ２０５で電源オフの指示があれば（Ｓ２０５でＹＥＳ時）電源をオフにし、電源オフの指示がなければ（Ｓ２０５でＮＯ時）上述と同様にチャネル変更指示待ちの状態になる。なお、ステップ２１１で画面表示したサービスリストは表示しなくてもよい。
【００４５】
図３は図２で示した処理の変形例であり、ステップ３１１の後の処理手順が異なる。図３ではステップ３１１でサービスリストが提示されたのち、ステップ２０３のチャネル選局の処理をする。ステップ２０３以下の動作は図２で説明した処理と同様である。、
このように、所定の地域と前記所定の地域に隣接する隣接地域との対応を表わす隣接地域テーブルを用いて、サーチ対象のチャネルを効率的にしぼりこむことによりユーザの居住地で受信設定可能なチャネルを短い時間で決定することができる。また、放送ネットワーク内のすべてのチャネルについてサーチする従来例と比べ、初期設定にかかる時間が少なくすみ、短時間で放送番組を視聴できる状態にできる。
【００４６】
なお、上記説明ではユーザによって居住地や居住地域等の情報が情報入力部１２１に入力されるとしたが、携帯電話等でＧＰＳ（Global Positioning System：衛星利用測位システム）機能を用いて自動的に取得するようにしてもよい。また、携帯電話等所在地に変動が生ずる携帯端末機器で、移動のたびにサービスリストを作成しなおすことは携帯端末機器の処理負担が大きいため、地域ごとにあらかじめ隣接地域を加味したサービスリストを用意し、このサービスリストを用いて放送受信可能なようにしてもよい。このとき、図３で説明したＳ２０６以下の処理はなくてもよく、ステップ２０１においてあらかじめ用意されたサービスリストのうちユーザの現在の位置にあう情報を参照するようにすればよい。あらかじめ用意されたサービスリストは、インターネット、データ放送あるいはＳＤカード等外部メモリから取得可能である。これにより、ユーザの所在地で受信設定可能なチャネルを短い時間で決定することができ、また機器の処理負担を軽減でき、消費電力を削減することが可能になる。
【実施例２】
【００４７】
本実施例２においては、所定の地域と前記所定の地域に隣接する隣接地域との対応を表わす隣接地域テーブルを用いて、居住地で受信設定可能なチャネルを短い時間で探索することができる実施例１記載の選局装置に加え、ユーザが入力した受信設定チャネル数Ｎによりチャネルサーチを行う選局装置について説明する。
【００４８】
本実施の形態の選局装置は、受信可能なチャネルをサーチし、受信設定するときに用いるチャネルの数（以下、受信設定チャネル数）Nに至った時点でサーチを終了するため、余分なチャネルをサーチすることなく、より短時間でサーチすることができる。選局装置６４としては、デジタルテレビ、セットトップボックス（ＳＴＢ）、携帯電話等、テレビ放送が受信可能な受信機が考えられる。以下、選局装置として据え置き可能なデジタルテレビを想定して、図６から図８までを用いて説明する。
【００４９】
図６は、本実施の形態に係る選局装置６４の構成図である。図１と構成上異なる点は制御部６３の内部の構成であり、その他の構成は実施例１と同じであるためここでは説明を省略する。また、制御部６３に関しても受信設定チャネル数記憶部６２２を設ける以外は、図１と同じ構成であるため、ここでは説明を省略し受信設定チャネル数記憶部６２２を中心に説明する。
【００５０】
制御部６３は、居住地域設定部６０８、サーチ対象チャネル設定部６０９、サービスリストと隣接エリアテーブルと受信可能チャネルテーブルとを記憶する情報記憶部６１０、サーチ対象チャネル記憶部６１１、チャネルサーチ部６１２、主制御部６１３、受信設定チャネル数記憶部６２２を有する。
【００５１】
受信設定チャネル数記憶部６２２は、ユーザにより情報入力部６２１から入力されたユーザの居住地における受信設定チャネル数Ｎを記憶するものである。
【００５２】
この受信設定チャネル数Ｎを用いてチャネルサーチ部６１２がチャネルサーチを行い、より短時間で受信設定が可能なチャネルを設定することができる。
【００５３】
以下、本実施の形態の動作を図７を用いて説明するが、本実施の形態の動作フローは図２のステップ２０９のチャネルサーチの動作以外は基本的に同じであるためここでは説明を省略する。具体例として、実施例１と同様にユーザの居住地が居住地域Ｅに属する場合について説明する。
【００５４】
ステップ７００では、情報入力部６２１により居住地域Ｅにおける受信設定チャネル数Ｎが５として入力され、受信設定チャネル数記憶部６２２に記憶されるとともに受信設定チャンネル数が設定され、受信可能なチャネルのサーチが開始される（Ｓ７０１）。
【００５５】
ステップ７０２ではサーチ対象チャネル記憶部６１１に記憶されたチャネルをサーチ対象チャネル設定部６０９により順次設定する。ここでは実施例１と同様に、ユーザの居住地域とその隣接地域との地域で受信することができるチャネルを選択するため制御部６３が情報記憶部６１０を参照する。そして図５に示す受信地域に対する隣接放送地域５０２より、スキャンすべき対象地域が居住地域Ｅ以外に、Ａ，Ｂ，Ｄ，Ｆ，Ｇが選択される。
【００５６】
また、対象となるチャネルは制御部６３が情報記憶部６１０を参照し図４（ｂ）に示す受信可能チャネル４０３より、１３ｃｈ、１４ｃｈ、１５ｃｈ、３０ｃｈ、３１ｃｈ、３２ｃｈ、３３ｃｈ、３６ｃｈ、３７ｃｈ、３８ｃｈ、３９ｃｈ、４０ｃｈ、４１ｃｈがサーチ対象チャネル設定部６０９により設定される。
【００５７】
例えば、ステップ７０２では最初にサーチ対象チャネルとして１３ｃｈが設定される。
【００５８】
ステップ７０３において、ステップ７０２で設定されたチャネルとフロントエンド１１との同期を確認する。
【００５９】
ステップ７０２で設定されたサーチ対象チャネルの１３ｃｈとの同期が確認できない場合（Ｓ７０３でＮＯの時）には１３ｃｈのサーチを終了し、同期が確認された場合（Ｓ７０３でＹＥＳの時）にはステップ７０４で受信確認をする。ステップ７０３で同期の確認が取れないとき（Ｓ７０３でＮＯの時）には、ステップ７０４の受信確認をせず、ステップ７０６で最終チャネルかどうかの判断をする。ここでは１３ｃｈの同期が確認され、受信確認ができたとする。
【００６０】
次に、ステップ７０５において、サーチしている受信設定可能なチャネル数が受信設定チャネル数Ｎである５に至らなければ（Ｓ７０５でＮＯの時）、ステップ７０６で最終チャネルかどうかの判断をする。ここで、１３ｃｈをサーチした段階では取得チャネル数は１であり受信設定チャネル数である５ではないためステップ７０６で最終チャネルかどうか判断する。１３ｃｈは最終（最大）チャネルでないため（Ｓ７０６でＮＯの時）、Ｓ７０７でチャネルをＵＰし、１４ｃｈを設定する（Ｓ７０２）。１４ｃｈについても同様にサーチする。
【００６１】
また、ステップ７０４でサーチ対象チャネルが１５ｃｈであり取得チャネルが３になったとき（Ｓ７０５でＮＯの時）、ステップ７０７で増加されステップ７０２で設定されるチャネルは、３０ｃｈである。上記処理をつづけ、取得チャネル数が５に至ったとき（Ｓ７０５でＹＥＳの時）、チャネルサーチの処理は終了する。
【００６２】
以上のように、図７に示すサーチ方法によってサーチするチャネル数を絞ることができ、アナログ放送を受信する選局装置と比べ放送サービスの検出をするバックエンド１２の処理に時間がかかるデジタル放送を受信できる選局装置において、サーチ時間を短縮することができる。
【００６３】
なお、チャネルサーチの順序をサーチ対象のすべてのチャネルにおける昇順でおこなったが、居住地域Ｅの受信可能チャネルである１３ｃｈを基点にサーチをするようにしてもよい。居住地域Ｅの受信可能チャネルからサーチを開始するときは、ステップ７０６の最終周波数の判断は、上述したようにサーチ対象チャネルのうち最大のチャネルでなく、居住地域Ｅの受信可能チャネルであって、最初にサーチを開始したチャネルとすることができる。
【００６４】
また、サーチ対象チャネルすべてについて１回のチャネルサーチをすることにより受信設定可能なチャネル数が受信設定チャネル数Ｎに満たない場合に、受信設定チャネル数Ｎに満たすことができるサーチ方法として、図８に示すものが考え得る。
【００６５】
図８に示すチャネルサーチは、再サーチをする処理以外は図７に示すフローと同様であるためその差異だけ説明する。
【００６６】
ステップ８００では受信設定チャネル数が設定され、ステップ８０１でサーチ回数n
が０回と設定され、受信可能なチャネルのサーチが開始される（ステップ８０２）。
【００６７】
ステップ８０３ではサーチ対象チャネルが順次設定される。ここでは上述と同様に、スキャンすべき対象地域が居住地域Ｅ以外に、Ａ，Ｂ，Ｄ，Ｆ，Ｇが選択される。
【００６８】
また、対象となるチャネルも同様に、１３ｃｈ、１４ｃｈ、１５ｃｈ、３０ｃｈ、３１ｃｈ、３２ｃｈ、３３ｃｈ、３６ｃｈ、３７ｃｈ、３８ｃｈ、３９ｃｈ、４０ｃｈ、４１ｃｈが設定される。ここでは上述と同様に、ステップ８０３で最初のサーチ対象チャネルとして１３ｃｈが設定される。
【００６９】
ステップ８０４において、ステップ８０３で設定されたチャネルである１３ｃｈとフロントエンド１１との同期を確認する。
【００７０】
ステップ８０５ではチャネル設定を確認する。ステップ８０３で設定されたサーチ対象チャネルの１３ｃｈとの同期が確認できない場合（Ｓ８０４でＮＯの時）には１３ｃｈのサーチを終了し、同期が確認された場合（Ｓ８０４でＹＥＳの時）にはステップ８０５で受信確認をする。
【００７１】
ステップ８０４で同期の確認が取れないときには、ステップ８０５の受信確認をせず、ステップ８０７で最終チャネルかどうかの判断をする。ここでは１３ｃｈの同期が確認され、受信確認ができたとする。
【００７２】
次に、ステップ８０６において、サーチしている受信設定可能なチャネル数が受信設定チャネル数Ｎである５に至らなければ（Ｓ８０６でＮＯの時）、ステップ８０７で最終チャネルかどうかの判断をする。ここで、１３ｃｈをサーチした段階では取得チャネル数は１であり受信設定チャネル数である５ではないためステップ８０７で最終チャネルかどうか判断する。
【００７３】
１３ｃｈは最終（最大）チャネルでないため（Ｓ８０７でＮＯの時）、Ｓ８０９でチャネルをＵＰし、１４ｃｈを設定する（Ｓ８０３）。１４ｃｈについても同様にサーチする。
【００７４】
また、ステップ８０５でサーチ対象チャネルが１５ｃｈであり取得チャネルが３になったとき（Ｓ８０６でＮＯの時）、ステップ８０９でサーチ対象チャネルがＵＰされステップ８０３で設定されるチャネルは、３０ｃｈである。上記処理をつづけ、取得チャネル数が５に至ったとき（Ｓ８０６でＹＥＳの時）、チャネルサーチの処理は終了する。
【００７５】
一方、ステップ８０６で取得チャネル数がＮ＝５に至っていないのにもかかわらず、ステップ８０７で最終チャネルに該当する場合（Ｓ８０７でＹＥＳの時）、ステップ８０８でサーチ回数が１未満かどうか判断する。１未満であるとき（つまり０であるとき：Ｓ８０８でＹＥＳの時）、ステップ８１０でサーチ対象チャネルをリセットし、ステップ８１１でサーチ回数を１増加し１とする。そして、再度サーチ処理をする。
【００７６】
また、ステップ８０８で１未満でないとき（つまり１であるとき：Ｓ８０８でＮＯの時）、チャネルサーチを終了する。
【００７７】
このように、一度サーチをかけて受信設定可能なチャネルをサーチできないときに再度サーチをすることで、確実にサービスリストを得ることができるようにできる。
【００７８】
また、１回のサーチにより取得できる受信設定可能なチャネルが受信設定チャネル数Ｎに満たない場合、従来のサーチ方法である全放送チャネルのサーチをし確実に全ての受信設定可能なチャネルを得ることもできる。
【００７９】
さらにチューナを増やすことによって視聴している放送と独立して再度チャネルサーチを行うことができる。
【００８０】
なお、本実施の形態では、受信設定チャネル数Ｎはユーザが入力する事で指定したが、図２４に示す放送地域２４０１と設定チャネル数２４０３とを対応させたテーブルを予め選局装置に記憶しておくことができる。これにより、ユーザの手間を省くことができ、またユーザの入力ミスによる誤動作等を防止することができる。
【００８１】
さらに、このテーブルを電話回線、インターネット、無線ＬＡＮ、トランスポートストリーム、ＳＤ等による記憶媒体により更新することもできる。
【実施例３】
【００８２】
本実施例３では、帯域毎にチャネルサーチ対象となる帯域順序が設定され、設定された帯域順にユーザによって入力される居住地で受信設定可能なチャネル数に至るまでサーチすることによって受信設定可能なチャネルを短い時間で探索することができる選局装置について、図９から図１１を用いて説明する。
【００８３】
図９は本実施の形態に記載する選局装置９４の構成図である。選局装置９４としては、デジタルテレビ、セットトップボックス（ＳＴＢ）、ＤＶＤレコーダ、携帯電話等、テレビ放送が受信可能な装置が考えられる。
【００８４】
特に、本実施の形態に示す選局装置は、選局装置が設置される場所によって受信できる。放送を伝送するチャンネル、あるいは帯域（VHF帯域やUHF帯域）を任意に変更することが許可されているために、図(ｂ)４に示す所定地域と受信可能放送チャンネルのテーブルや図５に示す隣接エリアテーブルを用いることができない、都市型ケーブルテレビ施設や、マンション共聴・難視対策用のケーブル施設などを利用する受信環境において有益である。
【００８５】
以下、選局装置９４として据え置き可能なデジタルテレビを想定して説明する。
【００８６】
図９において、図１と構成上異なる点は制御部９３の内部の構成であり、その他の構成は図１に同じであるためここでは説明を省略する。
【００８７】
制御部９３は、居住地設定部９０８、サーチ対象チャネル設定部９０９、サービスリストを記憶する情報記憶部９１０、サーチ対象チャネル記憶部９１１、チャネルサーチ部９１２、主制御部９１３、受信設定チャネル数一時記憶部９２２、サーチ帯域順序設定部９２３を有する。
【００８８】
この図９に示す構成によって図４（ｂ）に示される受信可能チャネルのテーブルと図５に示される隣接エリアテーブルを用いることができないケーブルテレビサービスや、ある帯域に放送に用いるチャネルが偏っているサービス等のチャネルサーチを効率良く行うことができる。
【００８９】
受信設定チャネル数一時テーブル記憶部９２２は、ユーザにより情報入力部９２１から入力されたユーザの居住地において受信設定可能なチャンネル数を記憶するものである。
【００９０】
また、サーチ帯域順序設定部９２３はサーチする帯域の順序を設定するためのものであり、サーチ帯域順序設定部９２３で設定された順序に従ってサーチ対象となる帯域がサーチ対象チャネル設定部９０９により設定され、サーチ対象チャネル記憶部９１１に記憶される。
【００９１】
主制御部９１３がサーチ対象チャネル記憶部９１１を参照しチャネルサーチ部９１２を制御する。チャネルサーチ部９１２は設定された帯域全体をサーチする。
【００９２】
その後、サーチにより取得した居住地で受信設定可能なチャネル数が予め決められた受信設定チャネル数Ｎに至らない場合は、主制御部９１３によってサーチ帯域順序設定部９２３で帯域順序を設定し同様にサーチを行う。
【００９３】
サーチにより取得した居住地で受信設定可能なチャネル数が予め決められた受信設定チャネル数Ｎに至った場合はサービスリストが作成され、主制御部９１３はサービスリストを情報記憶部９１０に記憶する。
【００９４】
次に、具体的動作について図１０を用いて説明する。
【００９５】
図１０のステップ２００でサービスリストがあると判断された場合（Ｓ２００でＹＥＳの時）以下の処理については、図２、図３に示されるフローと同じであるためここでは説明を省略し、ステップ２００でサービスリストがないと判断された場合（Ｓ２００でのＮＯの時）の処理について説明する。
【００９６】
ステップ１００６において、受信設定チャネル数Ｎを設定する。
【００９７】
この時、図９の情報入力部９２１により入力された受信設定チャネル数が受信設定チャネル数一時記憶部に記憶され、その後情報記憶部９１０に記憶される。
【００９８】
ステップ１００７において居住地設定部９０８により居住地域が設定され、ステップ１００８においてサーチ帯域順序設定部９２３がサーチする帯域の順序を設定する。
【００９９】
例えば、全サーチチャネルの対象をＶＨＦ（Ｌ）帯域（１ｃｈから３ｃｈ）、ＭＩＤ帯域（Ｃ１３ｃｈからＣ２２ｃｈ）、ＶＨＦ（Ｈ）帯域（４ｃｈから１２ｃｈ）、ＳＨＢ帯域（Ｃ２３ｃｈからＣ６３ｃｈ）、ＵＨＦ（Ｌ）帯域(１３ｃｈから３０ｃｈ)、ＵＨＦ（Ｍ）帯域(３１ｃｈから４４ｃｈ)、ＵＨＦ（Ｈ）帯域（４５ｃｈから６２ｃｈ）とする場合について考える。
【０１００】
この場合、対象とする放送波の帯域使用頻度を考慮し１．ＵＨＦ（Ｌ）帯域、２．ＵＨＦ（Ｍ）帯域、３．ＵＨＦ（Ｈ）帯域、４．ＳＨＢ帯域、５．ＭＩＤ帯域、６．ＶＨＦ（Ｌ）帯域、７．ＶＨＦ（Ｈ）帯域の順序としてサーチ帯域順序設定部９２３がサーチする帯域の順序を設定する。
【０１０１】
次にステップ１００９においてサーチ帯域順序設定部９２３によって順序が設定された帯域の順序に従い、サーチ対象チャネル設定部９０９がサーチ対象となる帯域を設定する。上記例に従うと、１３ｃｈから３０ｃｈ、３１ｃｈから４４ｃｈ、４５ｃｈから６２ｃｈ、Ｃ２３ｃｈからＣ６３ｃｈ、Ｃ１３ｃｈからＣ２２ｃｈ、１ｃｈから３ｃｈ、４ｃｈから１２ｃｈの順にサーチするチャネルの順が設定される。設定されたチャネルの順でサーチするチャネルがサーチ対象チャネル記憶部９１１に記憶される。
【０１０２】
次にステップ１０１０においてステップ１００９でサーチ対象となった帯域内全てを主制御部９１４によってチャネルサーチ部９１２はサーチする。その際チャネルサーチ部９１２はサーチ対象チャネル設定部９０９により設定された帯域のチャネルを記憶するサーチ対象チャネル記憶部９１１を参照する。
【０１０３】
次にステップ１０１１において受信設定が可能なチャネルが受信設定チャネル数Ｎに満たない場合（Ｓ１０１１でＮＯの時）、ステップ１０１１で取得チャネル数Ｎになるまでステップ１０１０のチャネルサーチ処理を続ける。
【０１０４】
一方、ステップ１０１１において受信設定可能なチャネルが受信設定チャネル数Ｎに至った場合（Ｓ１０１１でＹＥＳの時）、ステップ１０１２において主制御部９１３は情報記憶部９１０にサーチ結果としてサービスリストを情報記憶部９１０に記憶する。
【０１０５】
図１０に図示していないが全ての帯域においてサーチした結果、受信設定が可能なチャネルが受信設定チャネル数Ｎに満たない場合も同様に主制御部９１３はＮに満たないものの、受信設定が可能なチャネルのサーチ結果を情報記憶部９１０に記憶する。
【０１０６】
以上のように、サーチするチャネルに優先順位を帯域によってつけてサーチすることで、アナログ放送と比べバックエンド１２の処理に時間がかかるデジタル放送においてサーチ時間を短縮することができる。
【０１０７】
さらに図４（ｂ）に示す所定地域と受信可能放送チャネルのテーブルや図５に示す隣接エリアテーブルを用いることができない放送を再送するケーブルテレビ等の放送サービスにおいて用いる選局装置に有益である。
【０１０８】
また、一度のサーチで取得チャネル数がＮに至らなかった場合に、全チャネルのサーチをすることにより、確実にすべての受信可能チャネルを得るようにすることができる。具体例について図１１を用いて説明する。図１１は図１０とサーチ回数を設定して、サーチ回数により通常の全チャネルサーチをする処理ができるようにしている点が異なる。簡潔に説明すると、ステップ１０１４においてサーチ回数ｎを初期化（ゼロ）し、ステップＳ１０１１でサーチ回数をカウントアップするべきか判断し、必要であればカウントアップ（＋１）する。この判断は、サーチ対象チャネルすべてについて一度スキャンできたかどうかで判断できる。
【０１０９】
ステップ１０１５で取得チャネル数がＮに至らない場合、ステップ１０１６でサーチ回数が１未満かどうかを判断する。１未満であれば（Ｓ１０１６でＹＥＳの時）ステップ１０１０でチャネルサーチをする。
【０１１０】
一方、ステップ１０１１でサーチ回数がカウントアップされ１になっているときには、ステップ１０１６での判断の後、ステップ１０１８で通常の全チャネルのサーチをする。
【０１１１】
また、本実施の形態では、ｎが１より小さいという条件で再サーチを１度にしたが、最サーチの条件となるｎの値を増やし何度もサーチすることもできる。
【０１１２】
以上より図１１に示すサーチ方法によってさらに確実に受信設定可能なチャネルを得ることができる。
【０１１３】
また、各サーチ対象チャネルについて１回のサーチにより取得できる受信設定可能なチャネルが受信設定チャネル数Ｎに満たない場合、従来のサーチ方法である全放送チャネルのサーチをし、確実に全ての受信設定可能なチャネルを得ることができる。
【０１１４】
さらにチューナを増やすことで、視聴している放送と独立して、再度チャンネルサーチを行うこともできる。
【実施例４】
【０１１５】
本実施例４では、チャネルサーチを行う際、Ｃ／Ｎ比等の受信パラメータを検出し記憶できる選局装置について説明する。たとえば、妨害電波等の障害が生じた場合などに受信パラメータの受信性能が劣化しているときにこの受信パラメータを更新する。
【０１１６】
これにより、実施例１等に本実施の形態の構成を追加すると、さらにチャネルサーチ時間短縮することができ、受信性能も正常に保つことができる。なお、受信パラメータの更新をしサービスリストを更新することのみによっても同様の効果を得ることができる。
【０１１７】
図１２、図１３は本実施の形態に係る選局装置１２４の構成図である。選局装置１２４としては、デジタルテレビ、セットトップボックス（ＳＴＢ）、ＤＶＤレコーダー、携帯電話等、テレビ放送が受信可能な装置が考えられる。以下、選局装置１２４として据え置き可能なデジタルテレビを想定して説明する。
【０１１８】
本実施の形態では、実施例１等と異なる構成であるフロントエンド１２１とＣ／Ｎ比比較部１３２２との関係について図１２、図１３を用いて説明する。
【０１１９】
フロントエンド１２１は、チューナ部１２０２とデジタル復調部１２０３とから構成され、チューナ部１２０２はＲＦＡＧＣ増幅部１２０２１、周波数変換部１２０２２、ＩＦＡＧＣ増幅部１２０２３から構成される。
【０１２０】
信号レベル検出部１２０４はユーザの希望チャネルを選局した時に入力信号の大きさに応じた信号レベル値を検出する。信号品質評価部１２０５はデジタル復調部１２０３での受信性能に応じた値（Ｃ／Ｎ比やビットエラーレートなどの受信信号の品質判定が可能な指標）を出力する。
【０１２１】
また、信号レベル検出部１２０４の検出信号を受けたＡＧＣディレイポイント制御部１２０６は、ＲＦＡＧＣ制御信号１２０８とＩＦＡＧＣ制御信号１２０７によりＲＦＡＧＣ増幅部１２０２１とＩＦＡＧＣ増幅部１２０２３の利得バランスを制御する。
【０１２２】
また、信号品質評価部１２０５で検出されたＣ／Ｎ比はＡＧＣディレイポイント制御部１２０６を介して制御部１３３のＣ／Ｎ比比較部１３２２に送られ、情報記憶部１３１０に保存されている受信設定可能なチャネルのＣ／Ｎ比と比較されることで、現在受信している受信パラメータ（ここではＲＦＡＧＣディレイポイント）の適正化がＣ／Ｎ比比較部１３２２でされる。
【０１２３】
Ｃ／Ｎ比比較部１３２２で性能劣化していると判断される場合には受信パラメータの最適化を実行し、情報記憶部１３１０に記憶されているサービスリストの受信パラメータを図１６から図１７に示すように更新する。ここでは、図１６中の物理チャネル１６０１の１５ｃｈに対するＡＧＣディレイポイント１６０３の―７０ｄＢｍが図１７中のＡＧＣディレイポイント１７０３の―７５ｄＢｍに更新されている。
【０１２４】
次に、図１２から図１５を用いて本実施の形態の一連の動作について説明する。
【０１２５】
実施例１で説明した図２に示す選局方法との違いは、図１４のステップ１４０４のＣ／Ｎ比取得からステップ１４０５でＣ／Ｎ比が劣化しているかどうかの判断をして劣化していると判断（Ｓ１４０５のＹＥＳの時）した後、ステップ１４１０の最適制御結果記憶までである。
【０１２６】
以下、図１４のステップ２００以下に示される、実施例１で説明した図２との差異のフローを中心に説明する。
【０１２７】
ステップ２００において、サービスリストがあると判断される場合（Ｓ２００でＹＥＳの時）、現在放送に用いられている受信パラメータが劣化していないかどうかのチェックをする処理にすすむ。ステップ２０１でサービスリストを参照し、ステップ２０２で前回の選局情報を設定し、ステップ２０３でチャネル選局をする。
【０１２８】
次に、ステップ１４０４では現在の受信状態のＣ／Ｎ比を信号品質評価部１２０５で算出し、ステップ１４０５では算出したＣ／Ｎ比と情報記憶部１３１０に記憶されているサービスリストのＣ／Ｎ比とをＣ／Ｎ比比較部１３２２により比較することにより、現在受信している受信パラメータ（ここでは、ＲＦＡＧＣディレイポイント）の適正化をする。
【０１２９】
Ｃ／Ｎ比比較部１３２２により性能劣化していると判定される場合（Ｓ１４０５でＹＥＳの時）、ステップ１４０８からステップ１４１０の手順で受信パラメータの再最適化を実行し、サービスリストの受信パラメータを変更する。例えば、隣接地域に妨害波が生じた場合、図１８(ｂ)に示すようにＡＧＣディレイポイントを制御することで受信する放送の質(画質等)を保つことができる。
【０１３０】
図１8(ｂ)はチューナ入力レベルとＲＦＡＧＣ減推量およびＩＦＡＧＣ減推量についての関係を示す。チューナ入力レベルが小さいときはＩＦＡＧＣにより減衰し、ある入力レベル（このレベルをＡＧＣディレイポイントと呼んでいる）からＲＦＡＧＣによる減衰が始まっている。選局開始時は低雑音重視の設定としてＡＧＣディレイポイントを設定しているが、ＡＧＣディレイポイント設定変更では図の左方向へずらしていくことにより、高隣接妨害重視の設定にしていることがわかる。
この自動利得制御をチャネルスキャンに利用し、各チャネルのサービスリストにＡＧＣディレイポイント値を追加することが可能となる。具体的に説明すると、図１６に示すように１５ｃｈで受信している放送に対して、ＡＧＣディレイポイントは―７０ｄＢｍとしてサービスリストに保存される。
【０１３１】
ステップ１４０５において、隣接地域に妨害波が生じていることによりステップ１４０４で信号品質評価部１２０５により取得したＣ／Ｎ比が劣化し放送の質が落ちているとＣ／Ｎ比比較部１３２２で判定された場合、ステップ１４０８においてＣ／Ｎ比比較部１３２２により現受信チャネルがサーチ対象チャネルとして設定される。
【０１３２】
ステップ１４０９において、ＡＧＣディレイポイント制御部１２０６が図１８(ｂ)に示すようなＡＧＣディレイポイントの変更方向にＡＧＣディレイポイントを制御する。
【０１３３】
これによりステップ１４１０において、図１７に示すようにサービスリストのＡＧＣディレイポイントが―７５ｄＢｍに更新され、受信している放送の質を保つことができる。
【０１３４】
なお、ＡＧＣディレイポイントは、信号レベル検出部１２０４で検出された信号レベルにより異なる。
【０１３５】
その後ステップ２０５で電源オフの指示があれば（Ｓ２０５でＹＥＳ時）電源をオフにし、電源オフの指示がなければ（Ｓ２０５でＮＯ時）前述の実施の形態で説明したようにチャネル変更指示待ちの状態になる。
【０１３６】
さらに、ステップ２００でサービスリストがないと判断される場合（Ｓ２００でＮＯの時）のチャネルサーチ（Ｓ１４１３）について図１５を用いて説明する。
【０１３７】
チャネルサーチのフローに関しては実施例２で説明した図７に示すチャネルサーチのフローと基本的に同じであるため、その差異であるステップ７０４で受信確認をする前のステップ１５０８とステップ１５０９を中心に説明する。
【０１３８】
ステップ７０１でスキャン開始の指示がユーザから出されると、ステップ７０２でチャネルを設定する。そしてステップ７０３でフロントエンド１２１がロックされると（Ｓ７０３でＹＥＳの時）、ステップ１５０８でＡＧＣディレイポイント制御部１２０６においてＡＧＣディレイポイントの最適制御がなされる。
【０１３９】
ステップ１５０９では、ステップ１５０８の結果を基に受信パラメータであるＡＧＣディレイポイントとＣ／Ｎ比を信号品質評価部１２０５により測定し、受信パラメータを受信設定可能なチャネルとともに情報記憶部１３１０にあるサービスリストに記憶する。
ＡＧＣディレイポイント制御とはＲＦＡＧＣディレイポイントを制御する方法であるため、
ここで、受信環境の違いによるＲＦＡＧＣディレイポイントの設定とＣ／Ｎ比の関係について図１８（ａ）を用いて説明する。横軸はＲＦＡＧＣディレイポイントとして設定される時のチューナ入力レベル、縦軸はその時の受信状況をＣ／Ｎ比として表している。
【０１４０】
１８００は希望チャネルの隣接チャネルにアナログ信号が存在しない場合の代表的な定性的な特性を示している。ある設定レベル以上の範囲にＲＦＡＧＣディレイポイントを設定することで、良好な受信状況を満たすことが分かる。
【０１４１】
一方、１８０１に示すように希望チャネルの隣接チャネルにアナログ信号が存在する場合には、受信状況を良好に保つためにＲＦＡＧＣディレイポイントはある範囲に設定される必要がある。
【０１４２】
希望チャネルに対して隣接チャンネルに妨害となる大きなアナログ信号がある場合とない場合とでは、Ｃ／Ｎ比を最良にするＡＧＣディレイポイントの値が異なり、また隣接アナログチャネルによる妨害環境下でもこのＲＦＡＧＣディレイポイントの最適な設定範囲は信号レベル検出部１２０４により検出される信号レベルなどにより異なり、受信状況毎に最適な設定値がある。
【０１４３】
ステップ１５０９でＡＧＣディレイポイントのＣ／Ｎ測定の処理をした後、ステップ７０４で受信確認をする。そして、ステップ７０６でサーチ対象チャネルが最終チャネルかどうかを判断し、最終チャネルの場合（Ｓ７０６でＹＥＳの時）はチャネルサーチを終了し、最終チャネルでない場合（Ｓ７０６でＮＯの時）はサーチ対象チャネルをカウントアップし、チャネル設定される（Ｓ７０２）。
【０１４４】
このように、チャネルサーチを行う際にＣ／Ｎ比等の受信パラメータを検出することにより、受信性能も正常に保つことができる。また、妨害電波等の障害が生じた場合などに受信パラメータの受信性能が劣化しているときに受信パラメータを更新することで、受信性能も正常に保つことができる。
【０１４５】
なお、上記実施例１から実施例４の構成に加え図１９に示す傾斜検出部１９２２を設け、選局装置１９４が移動したことを検知しすることによってサービスリストを更新することができる。図１９に示す選局装置１９４は図１に示す選局装置１４と傾斜検出部１９２２とバッテリー部１９２３が異なる。傾斜検出部１９２２はバッテリー部１９２３から常時電源供給されているため、選局装置１９４の主電源がＯＦＦのときに移動があったとしても、移動つまり傾斜したことを傾斜検出部１９２２で検出することができる。
【０１４６】
図２０に示す動作フローのように、ステップ２００１で傾斜検出部１９２２により設置場所の移動が検知されると、検知されたことが記憶される。ステップ２００１で移動が検出されていれば、ステップ２００２で移動されているものとし（Ｓ２００２でＹＥＳの時）、ステップ２００３で現在用いているサービスリストが削除される。
【０１４７】
ステップ２００２で設置場所の移動が検地されないとき（ステップ２００２でＮＯの時）、あるいはステップ２００３でサービスリストを削除した後、ステップ２００４において実施例１等で説明したチャネルサーチおよびチャネル選局処理をする。
【０１４８】
これは、携帯テレビ、携帯電話、パソコン、ビデオ等の放送を受信できる移動体機器のような受信場所が頻繁に変わる受信機において、移動時に放送を常時みることができるようにするための前処理ができるようになる点で有用である。
【０１４９】
また、選局装置２１００４におけるサービスリスト、隣接エリアテーブル、受信可能チャネルテーブル等のテーブルは、図２１に示すＳＤ等の記録媒体２１２２により選局装置２１００４に取り込むことも更新することもできる。また、図２３に示すトランスポートストリームを図２２に示す選局装置２２０４で受信し、ＴＳ分離部２１０４で上述のテーブルを分離し、主制御部１９１３により情報記憶部２１１０に取り込むことも更新することもできる。また、取り込みは放送経由に限らず、電話回線、インターネット等通信回線を用いて取り込むことも更新することもできる。
【０１５０】
また、上記実施例１等では居住地域や受信設定チャネルはユーザによって入力されたが、図２１に示す選局装置２１００４の情報記憶部２１１０に、例えば図２４に示すように放送地域ごとに付与された設定チャネル数のテーブルを設けることによりユーザの手間を省くことができる。この図２４で示す設定チャネル数のテーブルは、ＳＤ等の記録媒体２１２２、トランスポートストリーム２３０１、電話回線、インターネット等を用いて選局装置２１００４に取り込むことも更新することもできる。
【０１５１】
また、実施例１等に記載されているサービスリストは図２５に示すようにリモコンキーＮｏ．２５００と物理チャネル２５０１とプログラムＮｏ．２５０２の関係を示すものであり、情報記憶部１１０等に記憶されている。
【０１５２】
図２５においてはリモコンキーＮｏ．３について見ると、１５ｃｈで受信できる放送は、３１から３４までのプログラムを有している。なお、このプログラムは、編成チャネルに割り当てられているプログラムである。
【０１５３】
なお、本発明はかかる上記実施形態に限定されるものではなく、本発明の範囲を逸脱することなく種々の変形または修正が可能である。
【産業上の利用可能性】
【０１５４】
本発明により所定地域で受信設定可能なチャネルを探索することができる選局装置を提供することができる。
【図面の簡単な説明】
【０１５５】
【図１】本発明の実施例１における選局装置の構成図
【図２】本発明の実施例１記載の選局装置の動作フローの図（１）
【図３】本発明の実施例１記載の選局装置の動作フローの図（２）
【図４】（ａ） 本発明の放送地域構成例の図、（ｂ） 本発明の所定地域と受信可能チャネルのテーブルの図
【図５】本発明の隣接エリアテーブルの図
【図６】本発明の実施例２記載の選局装置の構成図
【図７】本発明の実施例２記載のチャネルサーチのフローの図（１）
【図８】本発明の実施例２記載のチャネルサーチのフローの図（２）
【図９】本発明の実施例３記載の選局装置の構成図
【図１０】本発明の実施例３記載の選局装置の動作フローの図（１）
【図１１】本発明の実施例３記載の選局装置の動作フローの図（２）
【図１２】本発明の実施例４記載の選局装置の構成図（フロントエンド部）
【図１３】本発明の実施例４記載の選局装置の構成図（制御部）
【図１４】本発明の実施例４記載の選局装置のフローの図
【図１５】本発明の実施例４記載のチャネルサーチのフローの図
【図１６】本発明の実施例４記載のサービスリスト例の図（更新前）
【図１７】本発明の実施例４記載のサービスリスト例の図（更新後）
【図１８】（ａ） 本発明のＲＦＡＧＣディレイポイントとＣ／Ｎ比との関係図、（ｂ）ＡＧＣ制御の説明図
【図１９】傾斜検出部を設けた時の選局装置の構成図
【図２０】傾斜検出部を設けた時の動作フローの図
【図２１】記録媒体によりサービスリスト等のテーブルを更新する選局装置の構成図
【図２２】ＴＳによりサービスリスト等のテーブルを更新する選局装置の構成図
【図２３】隣接エリアテーブル等のテーブルを含むＴＳの例の図
【図２４】所定地域における受信設定チャンネルの数のテーブルの図
【図２５】実施例１と実施例２とにおけるサービスリストの図
【図２６】従来技術による選局装置の構成図
【符号の説明】
【０１５６】
１１、１２１  フロントエンド
１２  バックエンド
１３、６３、９３、１３３、２１００３、２２００３  制御部
１４、６４、９４、１２４  選局装置
１０１、１２０１  入力端子
１０２、１２０２  チューナ部
１０３、１２０３  デジタル復調部
１０４  ＴＳ分離部
１０５  映像データ復号部
１０６  音声データ復号部
１０７  制御情報復号部
１０８、６０８、９０８  居住設定部
１０９、６０９、９０９  サーチ対象チャネル設定部
１１０、６１０、９１０、２１１０、２２１０  情報記憶部
１１１、６１１、９１１  サーチ対象チャネル記憶部
１１２、６１２、９１２、１３１２、２１１２  チャネルサーチ部
１１３、６１３、９１３、１３１３  主制御部
１１４  選局情報
１１５  第一の制御信号
１１６  第二の制御信号
１１７  映像信号
１１８  音声信号
１１９  第一のサーチ信号
１２０  第二のサーチ信号
１２１、６２１、９２１、１３１０  情報入力部
【図１】
2005341483.tif 000003
【図２】
2005341483.tif 000004
【図３】
2005341483.tif 000005
【図４】
2005341483.tif 000006
【図５】
2005341483.tif 000007
【図６】
2005341483.tif 000008
【図７】
2005341483.tif 000009
【図８】
2005341483.tif 000010
【図９】
2005341483.tif 000011
【図１０】
2005341483.tif 000012
【図１１】
2005341483.tif 000013
【図１２】
2005341483.tif 000014
【図１３】
2005341483.tif 000015
【図１４】
2005341483.tif 000016
【図１５】
2005341483.tif 000017
【図１６】
2005341483.tif 000018
【図１７】
2005341483.tif 000019
【図１８】
2005341483.tif 000020
【図１９】
2005341483.tif 000021
【図２０】
2005341483.tif 000022
【図２１】
2005341483.tif 000023
【図２２】
2005341483.tif 000024
【図２３】
2005341483.tif 000025
【図２４】
2005341483.tif 000026
【図２５】
2005341483.tif 000027
【図２６】
2005341483.tif 000028